(57)【要約】【課題】吸込具の多機能化に対しても小型軽量化を行い、かつ単部品状態での収納性を改善した電気掃除機用吸込具を提供すること。【解決手段】吸込具４の外郭構成について、各種機能手段を配設して収納する下部材１２と、前記それらを覆う上部材１３により外郭を構成したものにおいて、上部材１３及び下部材１２左右２箇所の空間孔部１４−ａ、１４−ｂを設けたものである。この構成により、被掃除面と接触する吸込具４外郭面積の低下をもたらす作用となり、吸込具４の小型軽量化と、被掃除面への操作抵抗軽減を基に使用性を良化することができる。また外郭を含め貫通させた空間孔部１４−ａ、１４−ｂは、家屋内に設けられたヒンジ部等の挿入を可能とさせる作用となり、吸込具を分離させた状況での収納において、家屋内に設けられたヒンジ部等を利用しての引掛け収納を可能とし、収納スタイルの多様化を実現させることができる。【選択図】図２
2007268045.tif 000002
【特許請求の範囲】
【請求項１】
被掃除面の塵埃を吸引する吸込具において、上下方向に貫通させた空間孔部を外郭を含めて形成した掃除機用吸込具。
【請求項２】
吸込具の外郭に設けた空間孔部の径寸法において、長径となる寸法方向を吸込具幅方向とした請求項１記載の掃除機用吸込具。
【請求項３】
吸込具の外郭に設けた空間孔部内側輪郭部に、軟質材で構成するガイド体を設けた請求項１〜２のいずれか１項記載の掃除機用吸込具。
【請求項４】
吸込具の外郭に設けた空間孔部に閉鎖面を形成し、吸込具の外郭に凹部を形成する構成とした掃除機用吸込具。
【請求項５】
吸込具の外郭に設けた凹部一端に、吸込口に連通する第１の貫通口を設けた請求項４記載の掃除機用吸込具。
【請求項６】
吸込口に連通する第１の貫通口に、開閉自在となる第１の蓋部を設けた請求項５記載の掃除機用吸込具。
【請求項７】
吸込具の外郭に設けた凹部一端に、吸込具中央の内部塵埃吸引経路に連通する第２の貫通口を設けた請求項４記載の掃除機用吸込具。
【請求項８】
内部塵埃吸引経路に連通する第２の貫通口に、開閉自在となる第２の蓋部を設けた請求項７記載の掃除機用吸込具。
【請求項９】
回転ブラシと、前記回転ブラシの駆動手段と、前記回転ブラシに駆動手段の駆動力を伝達する伝達手段とを備え、前記伝達手段を空間孔部を形成する外郭部に配置したことを特徴とする請求項１〜８のいずれか１項に記載の掃除機用吸込具。
【請求項１０】
請求項１〜９のいずれか１項に記載の掃除機用吸込具を備えた電気掃除機。
【発明の詳細な説明】
【技術分野】
【０００１】
本発明は、特に部品外郭の小型化を促進させる構成を有した吸込具を、搭載する電気掃除機に関するものである。
【背景技術】
【０００２】
従来のこの種の電気掃除機に搭載される吸込具は、図１５並びに図１６に示すように、吸込具の上面中央には、吸引風の強弱を調整するための風量調整レバー１７を設けてあり、上部材１３に設けたスリット部１６に、軸部１５を挿入し左右に摺動自在に取り付けている。１８は、風量調整レバー１７の操作時における、上部材１３への擦れ傷防止を目的とした保護レールであり、凸状に形成し強制的に風量調整レバー１７の下面と接触するものである。また、吸込具後方には、下部材１２と上部材１３の上下狭持によって回動自在に保持された回転アーム９が設けてある。回転アーム９は、延長管（図示せず）と接続する接続部を形成し、且つ前記吸込具後方の略中央部に配設されている。吸込具の下面において、前方には塵埃を吸引するための吸込口１９が設けられ、その後方には塵埃の吸引目的でない第２吸引口２０が設けられている。また、第２吸引口２０の周囲を囲み且つ、吸込口１９に相対するブラシ毛で形成した壁状部材６２を配設させている。その他下面前後両端には、被掃除面へ一定の距離を保ちスムーズに操作できる為のローラー３２が設けられている。このように、吸込具４を構成するには、これら複数の機能部品の配設が必要となる。特に外郭において、前記機能部品を覆い被せるものであるが、従来からの構成においては、それら機能部品の収納を行わない駄肉部を含め一面体の閉ざされた外郭により構成されていた。その結果、吸込具４は機能部品の追加拡大がなされる近年、大型化する一途をたどり小型化を行う商品開発に困難化を招かせていた（例えば、特許文献１参照）。
【特許文献１】特開平７−１１６０９５号公報
【発明の開示】
【発明が解決しようとする課題】
【０００３】
しかしながら、前記従来の構成では、商品性能の向上を目的とした附加機能追加毎に部品収納スペースが拡大し、かつ全面を覆う外郭構成により、その肥大が吸込具の小型軽量化を困難化させるという課題があった。また収納に関係する構成部位においては、掃除機本体との接続部位しか形成しないものであり、不使用時の分離された単部品状態では、前記に示した大型化の関係もあり、収納性が悪化する課題もあった。
【０００４】
本発明は、前記従来の課題を解決するもので、吸込具の多機能化に対しても小型軽量化を行い、かつ単部品状態での収納性を改善した掃除機用吸込具及びそれを用いた電気掃除機を提供することを目的としている。
【課題を解決するための手段】
【０００５】
前記従来の課題を解決するために、本発明の電気掃除機に搭載される吸込具は、被掃除面の塵埃を吸引する吸込具において、機能部品の収納を行わない空間部を、外郭を含め貫通させた空間孔部に形成したものである。
【０００６】
これによって、外郭を含め駄肉構成となる部位部分の排除が可能となると共に、被掃除面と接触する吸込具底面の面積低下が行え、吸込具の小型軽量化と、被掃除面への操作抵抗軽減により使用性を良化することができる。また外郭を含め貫通させた孔部は、家屋内に設けられたヒンジ部等の挿入が可能となり、吸込具を分離させた状況での収納において、家屋内に設けられたヒンジ部等を利用しての引掛け収納を可能とし、収納スタイルの多様化を実現させることができる。
【発明の効果】
【０００７】
本発明の電気掃除に搭載される吸込具は、小型軽量化の達成とヒンジ部等を利用しての引掛け収納を可能することができる。
【発明を実施するための最良の形態】
【０００８】
第１の発明は、被掃除面の塵埃を吸引する吸込具において、上下方向に貫通させた空間孔部を外郭を含めて形成したことにより、外郭を含め駄肉構成となる部位部分の排除が可能となると共に、被掃除面と接触する吸込具底面の面積低下が行え、吸込具の小型軽量化と、被掃除面への操作抵抗軽減により使用性を良化することができる。また外郭を含め貫通させた空間孔部により、家屋内に設けられたヒンジ部等の挿入が可能となり、吸込具を分離させた状況での収納において、家屋内に設けられたヒンジ部等を利用しての引掛け収納を可能とし、収納スタイルの多様化を実現させることができる。
【０００９】
第２の発明は、吸込具の外郭に設けた空間孔部の径寸法において、長径となる寸法方向を吸込具幅方向としたことにより、吸込具進行方向に対する被掃除面との接触面積を効率的に低減するものとなり、より操作抵抗軽減が達成され使用性が向上する。
【００１０】
第３の発明は、吸込具の外郭に設けた空間孔部内側輪郭部に、軟質材で構成するガイド体を設けたことにより、ヒンジ部等を挿入しての引掛け収納時において、緩衝作用による傷付防止効果を得ることができる。
【００１１】
第４の発明は、吸込具の外郭に設けた空間孔部に閉鎖面を形成し、吸込具の外郭に凹部を形成する構成としたことにより、吸込具上面外郭の駄肉排除による小型軽量化に加え、貫通させた孔部の補強壁として作用するため吸込具の強度を向上することができる。
【００１２】
第５の発明は、吸込具の外郭に設けた凹部一端に、吸込口に連通する第１の貫通口を設けたことにより、吸込具前方下部と被掃除面とのわずかな空間より吸塵できない粗大塵埃に対し、別途投入口としての吸塵処理が可能となり使用性の向上ができる。
【００１３】
第６の発明は、吸込口に連通する第１の貫通口に、開閉自在となる第１の蓋部を設けたことにより、吸込口内部における真空度の損失を防止し、吸込口からの吸塵性能を向上させる。
【００１４】
第７の発明は、吸込具の外郭に設けた凹部一端に、吸込具中央の内部塵埃吸引経路に連通する第２の貫通口を設けたことにより、被掃除面との間に隙間を設け対面する吸込口に連通する場合に比べ、真空度の高い部位での別途投入口の形成となるため、より強い吸塵作用を得ることになり使用性の向上が図れる。
【００１５】
第８の発明は、内部塵埃吸引経路に連通する第２の貫通口に、開閉自在となる第２の蓋部を設けたことにより、第７の発明による効果に加え、内部塵埃吸引経路における真空度損失を防止し、吸込口からの吸塵性能を向上させる。
【００１６】
第９の発明は、回転ブラシと、前記回転ブラシの駆動手段と、前記回転ブラシに駆動手段の駆動力を伝達する伝達手段とを備え、前記伝達手段を空間孔部を形成する外郭部に配置したことを特徴とするもので、回転ブラシを内蔵するものにおいて、外郭を利用して駆動力の伝達を行うことで、軽量化を図ることができる。
【００１７】
第１０の発明は、電動送風機を内蔵し、請求項１〜９のいずれか１項に記載の掃除機用吸込具を備えたもので、小型軽量化に加え新たな収納状態を提供可能とすることで使用性が向上し、また、吸込具前方より吸塵不能な粗大塵埃の清掃も可能とする電気掃除機の提供を達成する。
【００１８】
以下、本発明の実施の形態について、図面を参照しながら説明する。なお、この実施の形態によって本発明が限定されるものではない。
【００１９】
（実施の形態１）
図１は、本発明の実施の形態１における吸込具を搭載した電気掃除の斜視図を示すものである。図１において、電気掃除機は、電気掃除機本体１にホース２、延長管３、吸込具４を接続して構成している。電気掃除機本体１には吸引風を発生させる電動送風機５が設置され、その前方には吸引風により集められた塵埃を収容する集塵容器６が着脱自在に設けられ、集塵容器６はその周囲に自在に開口できる集塵容器蓋７により電気掃除機本体１内部に収められている。集塵容器６とホース２を接続するように、ホース２の一端に接続管３が設けられ、その逆端には、電気掃除機本体１の電動送風機５を制御する制御スイッチ１１を有したハンドル８が設けられている。ハンドル８には、ホース２を介して塵埃が通過する延長管３が着脱自在に接続されており、その逆端には、吸込具４が接続部を形成してなる回転アーム９により接続されている。
【００２０】
次に、前記吸込具４の外郭構成について、図２及び図３を用いて説明する。
【００２１】
図２に示すように、各種機能手段を配設して収納する下部材１２と、前記それらを覆う上部材１３により外郭を構成する。特に図２、３に示す上部材１３及び下部材１２に設けた左右２箇所の空間孔部１４−ａ、１４−ｂは、吸込具４における各種機能手段を配設しない駄肉部の抜き取り部分であり、前記上部材１３並びに下部材１２を貫通している。
【００２２】
次に前記外郭に付随する外郭部品について、その概略構成を説明する。同じく図２、３において、吸込具４上面中央には、吸引風の強弱を調整するための風量調整レバー１７を備えている。上部材１３に設けたスリット部１６に、軸部１５を挿入し左右に摺動自在に取り付けている。１８は、前記風量調整レバー１７の操作時における、上部材１３への擦れ傷防止を目的とした保護レールであり、凸状に形成し強制的に風量調整レバー１７の下面と接触するものである。
【００２３】
また、吸込具４後方には、前記下部材１２と上部材１３の上下狭持によって回動自在に保持された回転アーム９を備えている。前記回転アーム９は、前記延長管３と接続する接続部を形成し、且つ前記吸込具４後方の略中央部に配設されている。吸込具４の下面において、前方には塵埃を吸引するための吸込口１９が設けられ、その後方には塵埃の吸引目的でない第２吸引口２０が設けられている。また、前記第２吸引口２０の周囲を囲み且つ、吸込口１９に相対するブラシ毛で形成した壁状部材６２を配設させている。その他下面前後両端には、被掃除面へ一定の距離を保ちスムーズに操作できる為のローラー３２が設けられている。
【００２４】
次に、吸込具４の機能手段の詳細構成について、図４〜図７を用いて説明する。
【００２５】
吸込具４の下部材１２前方には、被掃除面８０に対面して吸込具４の前後方向へある一定の開口寸法を有し、幅寸法に近似した吸込口１９を形成している。２２は軟質部材２３を植毛し、棒状の軸体に構成された回転ブラシであり、被掃除面８０に蓄積した塵埃をピックアップするための部品である。前記回転ブラシ２２の構成においては、両端に回転軸受け部２４−ａ、２４−ｂを設け、且つその片側一端には、別途吸込具４の内側に設けた回転駆動手段からの駆動伝達を行う駆動ベルト２５とを連結する歯車２６を有し構成されている。
【００２６】
また、前記回転ブラシ２２は、前記吸込口１９上面且つ、吸込具４の内部に配設させるもので、吸込具４の内側端部に設けたガイド体２７に、前記回転ブラシ２２一方の回転軸受け部２４−ｂを挿入保持させ、同じく回転ブラシ２２の他端回転軸受け部２４−ａを、一部下部材１２を分割し吸込口１９の内壁２９を形成すると共に、前記回転ブラシ２２の回転軸受け部２４−ａを受けるガイド体２８を設け、ビス２８−ａの締め付けによる固定を可能としたホルダー部品２８−ｂにより、閉時保持し吸込具４へ着脱自在に取り付けられている。
【００２７】
また、前記吸込口１９並びに回転ブラシ２２を有する空間部は回転ブラシ室３４であり、前記上部材１３及び下部材１２から延設する壁体４１の仕切りに加え、別部品とした分割部位とする隔壁体４３の下方に塵埃吸引口４２を設け配設している。また、その配設位置においては、前記吸込具４の上面に設けた風量調整レバー１７の下方に相対する位置へ行っている。特に前記仕切りの壁体４１並びに、隔壁体４３においては、嵌合部全周に印籠を形成し、エアータイトを配慮させた上下狭持で構成される。
【００２８】
また、前記隔壁体４３の上部においては、吸込具４の上部材１３に設けたスリット部１６に相対して、Ｕ溝部４４を形成している。Ｕ溝部４４の底面には、隔壁体４３の下方に設けた塵埃吸込口４２と連通する洩らし孔４５が形成され、前記スリット部１６を介し外気と連通するものとしている。前記スリット部１６に設けられる風量調整レバー１７の取り付けにおいては、吸込具４の上面を摺動動作し、使用者の操作体となる摘み部４６の下方へ延設した軸部４７をスリット部上方より挿入し、挿入後、前記隔壁体４３のＵ溝部４４に嵌り合う構成で組み立てられるものである。前記軸部４７先端へは、抜け止め作用並びに、隔壁体４３のＵ溝部４４の底面に設けた洩らし孔４５の閉鎖面を形成する保持部品４９を圧入嵌合している。前記構成において、風量調整レバー１７の摘み部４６を操作することで、前記洩らし孔４５の開口を摺動に応じ閉鎖可能となり、洩らし面積の調整を行うことができる。その結果、回転ブラシ室３４内の真空度調整を基に、吸込具４の被掃除面８０への吸着力の調整を行えるものとしている。
【００２９】
３５は図に示す通り前記回転ブラシ室３４の後方に設けられ、前記塵埃吸引口４２より以降電気掃除機本体１への吸引経路を形成するタービン室である。前記回転ブラシ室３４と同様に、上部材１３及び下部材１２より延設する印籠嵌合部を有した壁面３１、３３で仕切られた空間部であり、吸引経路として構成したものである。主に前記回転ブラシ２２の回転駆動源となるエアータービン３０と、延長管３に接続する為の接続部５４を備えた回転アーム９を配設している。これよりタービン室３５に配設する各種機能手段の構成について説明する。
【００３０】
３０は、長手方向に延びる複数のブレード３６と、その両端に側壁３７を形成させ略円筒状に形成したエアータービンであり、前記側壁３７中央を貫通かつ片側一方に突出する軸体３８を形成させると共に、回転摩擦抵抗を軽減する為の軸受け部品３９並びに、前記回転ブラシ２２への回転伝達を行う駆動ベルト２５と、その取り付け及び回転減速を狙いとした歯車４０を設けている。前記軸受け部品３９においては、両端に潤滑油を含浸させたメタル軸受け３９−ａを設け、その中間部にはグリス噴入部を有した略円筒の形状に構成させた部品であり、前記軸体３８を回転可能に貫通挿入している。また、その先端には小径歯車４０を軸体３８へ回転不能に圧入固定させ、前記エアータービン３０の回転に動機させ構成にて取り付けられている。この周辺の外郭形状を含めた構成においては、前記エアータービン３０より側面方向に且つ、吸込具４の側端まで突出させた軸受け部品３９の先端に、回転伝達を行う駆動ベルト２５を設け配設することにより、同じくそれら機能手段を覆う保持部を形成した外郭を、吸込具４の側端まで突出させる構成としている。突出させる外郭構成においては、前記機能手段に対し干渉を避ける為の最小限のクリアランスを有し、前記上部材１３並びに下部材１２より延設させた上下２つの外郭により、タービン室３５及び回転ブラシ室３４同様上下部品の狭持嵌合により構成されている。特に吸込具４の前方回転ブラシ２２の側端と、その後方タービン室３５中央より突出した軸受け部品３９の先端とで、連結する駆動ベルト２５らを覆う外郭構成においては、前記機能手段（回転ブラシ２２、タービン室３５、軸受け部品３９、駆動ベルト２５）を４辺とする略四角形配置構成とし、その中央部に外郭を形成しない貫通孔状の空間孔部１４−ａを形成させたものとなっている。
【００３１】
また、前記吸込具４の中央タービン室３５を境に、相対した位置に同じく貫通孔状の空間孔部１４−ｂを有した外郭部においては、内部に機能手段を配設させないものの、吸込具持ち上げ時の（所謂空中状態における）左右の質量バランス違いによる傾きを防止するための外郭部位として構成させている。また、その前記空間孔部１４−ａ、１４−ｂは、図８に示す様に、家屋内における吊り下げ収納用ヒンジＡ等への引っ掛けを可能としている。回転アーム９は、タービン室３５内全幅に渡り、両端に回転軸５１、５２を設けた略円筒状の風洞部５３に、掃除機本体１との接続手段となる延長管３への着脱を可能とした接続部５４を構成し、前記上部材１３並びに下部材１２による上下からの壁面３１、３３の狭持による軸支持構成によって、回動自在に配設保持されている。また前記風洞部５３の内側には、前記エアータービン３０を配設している。その配設については、エアータービン３０より片側に突出する軸体３８並びに、軸受け部品３９を前記回動アーム９の回転軸５２内に貫通させ、連続回転可能とし、回転アーム９は前記吸込具４上部材１３の食い切り範囲内５５で前記接続部５４の当接をもって回動止点を決定し、上下回動自在に同軸構成として配設している。
【００３２】
タービン室３５内下面には、吸込具４の下部材１２を貫通する格子状孔とした第２吸引口２０を設けている。第２吸引口２０は、被掃除面８０への吸込具４接地状態にて閉鎖されるものであり、吸込具４の持ち上げ時には、閉鎖状態から開放状態となり外気を吸引する。また、第２吸引口２０は前記エアータービン３０と相対しない位置に形成させたことにより、前記吸引された外気はエアータービン３０を通過しない経路８１を辿る為、単に前記塵埃吸込口４２及びエアータービン３０を通過する経路風量８２の減圧を作用するものとなる。すなわち回転ブラシ２２の回転駆動手段であるエアータービン３０の駆動力低下を行い、吸込具４の持ち上げ時に露出する回転ブラシ２２の回転数を同様低下せる効果を生み出すものとなっている。これは、所謂危険性の軽減を図る安全装置的な役割を果たす構成部位である。
【００３３】
また、前記第２吸引口２０を形成した下部材１２の外郭側、被掃除面８０に対面する下面周囲には、軟質材からなるブラシ毛で構成した壁状部材６２を配設している。前記壁状部材６２は、硬質な木床等の被掃除面８０へ吸込み具４を接地させた状態において、発生するローラー３２高さ分の隙間６３に伴う閉鎖不足を補うものであり、前記ブラシ長さ６４をローラー３２高さよりも長く形成し配設されている。被掃除面８０への接地状態における吸込具４の集塵性能においては、前記第２吸引口２０の閉鎖レベルに伴い吸塵作用に繋がる真空度が高くなることから、より閉鎖レベルの向上が要求されるものである。
【００３４】
（実施の形態２）
次に、本発明の実施の形態２における吸込具の構成について、図９及び図１０を用いて説明する。図９に示すように、大きくは前記実施の形態１と同一の構成であり、一部上部材１３並びに下部材１２を貫通させ、吸込具４中央のタービン室３５横左右２箇所に設けた空間孔部１４−ａ、１４−ｂにおいて、内側輪郭部に軟質材で構成するガイド体９１を設けた構成としている。その詳細な構成においては、図１０に示す様に、断面形状を略Ｈ状に形成したガイド体９１の上下溝部９２、９３を、タービン室３５側面から突出し吸込具４の側端より前方の回転ブラシ室３４に連結させてなる外郭部の上部材１３、並びに下部材１２に狭持嵌合させて取り付けを行う構成としている。特にその取り付け範囲においては、前記貫通孔状の空間孔部１４−ａ、１４−ｂ内側輪郭部全周に渡り配設するものとなっている。この構成における作用については、実施の形態１に記載した同様家屋内における吊り下げ収納用ヒンジ等の引っ掛けを可能とする事に加え、前記ヒンジ等の引っ掛け部との間に軟質材で構成させたガイド体９１が介在することにより、干渉による吸込具４への傷つき防止を達成させるものとなる。
【００３５】
（実施の形態３）
次に、本発明の実施の形態３における吸込具の構成について、図１１及び図１２を用いて説明する。特に主体的な部品並びに配置構成においては、前記実施の形態１と同一の構成であり、一部変更する構成について以下に説明する。上部材１３並びに下部材１２を貫通させ、吸込具４中央のタービン室３５横左右２箇所に設けた空間孔部１４−ａ、１４−ｂにおいて、閉鎖面１０１を形成し吸込具４の外郭上方並びに下方が凹部１０２、１０３を形成する構成とし、前記外郭上方凹部１０２の回転ブラシ室３４壁面に貫通口１０７並びに開閉自在となる蓋部品１０４を取り付けている。前記蓋部品１０４は、図１２に示す様に、回転ブラシ室３４内壁に相対した、湾曲状の板母材に摘み部１０５を形成した部品であり、前記回転ブラシ室３４外郭部の内壁に設けられた保持リブ１０６により摺動可能に狭持して取り付けられている。吸込具４における通常使用時では、常時閉鎖されたものとして使用を行い、使用者の任意適開閉操作時のみ開口するものとしている。この構成における作用については、貫通させた空間孔部１４−ａ、１４−ｂの補強壁として作用するため吸込具４の強度を向上させると共に、前記凹部１０２の形成により、吸込具４前方より吸塵できず使用者が拾い上げた粗大塵埃を一時的に集積する部位として利用可能とし、前記蓋部品１０４の開口により吸引経路との連通が達成される事から、従来吸込具４の取り外しによる延長管等の別途吸塵手段の大口径部からの吸塵処理操作が不要となり、使用性の向上が図れるものとなる。また、任意適開閉操作時のみ開口するものとしている為、通常状態における回転ブラシ室３４での真空度劣化に対しても防止する構成となり、集塵性能劣化の発生も無いものとなる。
【００３６】
（実施の形態４）
次に、本発明の実施の形態４における吸込具の構成について、図１３及び図１４を用いて説明する。主体的な部品並びに配置構成においては、前記実施の形態３と同一の構成であり、一部変更する構成について以下に説明する。前記外郭上方凹部１０２のタービン室３５の壁面に貫通口１１５並びに開閉自在となる蓋部品１１０を取り付けている。前記蓋部品１１０は、図１４に示す様に、タービン室３５内壁に相対した、板状の母材に摘み部１１１を形成した部品であり、前記タービン室３５外郭部の内壁に設けられた保持リブ１１２により摺動可能に狭持して取り付けられている。吸込具４における通常使用時は、閉鎖しておき、使用者の必要に応じた操作によりのみ開口するものである。この構成における作用については、前記実施の形態３と略同様であるが、一点吸込口に連通する事に比べ、真空度の高い部位での別途投入口の形成となるため、より強い吸塵作用を得ることになり、より使用性の向上が図れるものとなる。
【産業上の利用可能性】
【００３７】
以上のように、本発明にかかる電気掃除機もしくは電気掃除用吸込具は、小型軽量化を基に、収納性並びに粗大塵埃処理ができるので、使用性を向上させる等の用途にも適用できる。
【図面の簡単な説明】
【００３８】
【図１】本発明の実施の形態１における掃除機用吸込具を搭載した電気掃除機の斜視図
【図２】同吸込具の斜視図
【図３】同吸込具の下方斜視図
【図４】同吸込具の中央断面図
【図５】同吸込具の上部外郭を取り外した上面図
【図６】図５における同吸込具のＡ−Ａ断面図
【図７】同吸込具の中央断面図
【図８】同吸込具の収納状態図
【図９】（ａ）本発明の実施の形態２における掃除機用吸込具の上面図（ｂ）同吸込具の上面斜視図
【図１０】図９（ａ）における同吸込具のＢ−Ｂ断面図
【図１１】本発明の実施の形態３における掃除機用吸込具の上面図
【図１２】（ａ）図１０における同吸込具の閉口時のＤ−Ｄ断面図（ｂ）図１０における同吸込具の開口時のＤ−Ｄ断面図
【図１３】（ａ）本発明の実施の形態４における掃除機用吸込具の上面図（ｂ）同吸込み具のＥ−Ｅ断面図
【図１４】同吸込具の側面断面図
【図１５】従来の吸込具の上面斜視図
【図１６】従来の吸込具の下面斜視図
【符号の説明】
【００３９】
１  電気掃除機本体
４  吸込具
１４−ａ、１４−ｂ  空間孔部
１９  吸込口
２２  回転ブラシ
２５  駆動ベルト（伝達手段）
３０  エアータービン（駆動手段）
９１  ガイド体
１０１  閉鎖面
１０２、１０３  凹部
１０４  蓋部品（第１の蓋部）
１０７  第１の貫通口
１１０  蓋部品（第２の蓋部）
１１５  第２の貫通口
【図１】
2007268045.tif 000003
【図２】
2007268045.tif 000004
【図３】
2007268045.tif 000005
【図４】
2007268045.tif 000006
【図５】
2007268045.tif 000007
【図６】
2007268045.tif 000008
【図７】
2007268045.tif 000009
【図８】
2007268045.tif 000010
【図９】
2007268045.tif 000011
【図１０】
2007268045.tif 000012
【図１１】
2007268045.tif 000013
【図１２】
2007268045.tif 000014
【図１３】
2007268045.tif 000015
【図１４】
2007268045.tif 000016
【図１５】
2007268045.tif 000017
【図１６】
2007268045.tif 000018